(57)【要約】【目的】従来ギターを、椅子座で、棹側を高く保持して演奏する補助具、足台３１または従来のギターの支持具３２を使用した演奏姿勢は、足を広く開き、上体を棹側に向けて前傾してギターを抱持する、体に不自然な姿勢であった。この演奏姿勢は、体に不自然な姿勢であるばかりでなく、女性にふさわしくない演奏姿勢であった。足を広く開くことなく、背筋を伸ばした、自然な椅子座の姿勢で、棹側を高く保持して演奏できるギターの支持具を提供する。【構成】ももの上面に内接する曲板の台板１上に支柱２を立設し、その支柱２の上端に、吸着力を強化した吸着具６を載設する。【選択図】      図１
2004341462.tif 000002
【特許請求の範囲】
【請求項１】
内面が、ももの上面に内接する曲面の台板１の上面に突設されたブラケット２から突設された支柱３の先端に、軟質弾性質の素材でなる吸盤本体４に押圧盤５を被蓋し、吸着力強化の手段を係着してなる吸着具６の押圧盤５を載着してなるギターの支持具。
【請求項２】
支柱３が、台板１の上面に突設された球面対偶の継手７から突設されている、請求項１のギターの支持具。
【請求項３】
台板１の上面に突設された短軸８の先端に吸着具６を載着してなる請求項１のギターの支持具。
【発明の詳細な説明】
【０００１】
【発明の属する技術分野】
本発明は、椅子座でギターを演奏するとき、棹側を高く保持するための支持具に関する。
【０００２】
【従来の技術】
従来、椅子座でギターを、棹側を高く保持して演奏するとき、図５に示す足台３１、または図６に示すギターの支持具３２が使われていた。
足台３１は左足を載せる台で、椅子座して左足を足台に３１に載せ、右足を広く開いて、高くなった左のももと広げた右足のももにギターを載せ、上体をギターの棹側に向けて前傾して、棹側が高くなったギターを抱持して演奏した。
【０００３】
また従来のギターの支持具３２は、内面がももの上面に内接する曲板の台板３３上のブラッケット３４に、高さが調節できる支柱３５が設されていて、その支柱３５の上端に、ギターを挟持するクランプ３６が載設されたものであった。
【０００４】
そのクランプ３６は、後部の板３７上に前部の板３８を重ね、ねじ３９、３９で、後部の板３７の前部の板３８を、前後に摺動自在に螺着され、長ねじ４０を回して前部の板３８を前後に摺動させる構造で、後部の板３７の後縁の両端および前部の板３８の前縁の両端から上方に、軟質プラスチックのクッションを被着した爪４１、４１および４１、４１が突設されていて、後部の板３７の下面に支柱３５の上端を挿着する短ソケット４２が突設されていた。
以上のギターの支持具３２は演奏時、クランプ３５をギターの側板に挟着して、構えたギターの下方に突設して使用していた。
【０００５】
ギターの支持具３２を挟着したギターの椅子座の演奏姿勢は、足台に３１同様、右足を広く開き、上体を棹側に向けて前傾して、ギターを抱持した演奏姿勢であった。
【０００６】
【発明が解決しようとする課題】
足台３１および従来のギターの支持具３２を用いたギターの演奏姿勢は、上記のような、生理的に不自然な姿勢で、足を広く開く演奏姿勢は女性にふさわしくない演奏姿勢であった。
【０００７】
また従来のギターの支持具３２のクランプ３６は、挟着力が不十分で、演奏中に両ひざの間隔が変わると、支柱３４のてこの作用で、ギターからクランプ３６が外れやすく、このためクランプ３５をギターに過度に締めつけ、演奏中両ひざの間隔が、できるだけ変わらないようにしなければならなかった。
【０００８】
本発明はこれらの欠点を除き、ギターを安定よく保持でき、足を広く開かない、自然な椅子座の姿勢で演奏できるようになされたものである。
【０００９】
【課題を解決するための手段】
本発明は図３で示すように、ギターに、支柱３が長いギターの支持具Ａまたは図４に示すギターの支持具Ｃと、図２に示す支柱８が短いギターの支持具Ｂを併設して使うように開発されたものである。
【００１０】
図１に示すギターの支持具Ａについて説明する。
ギターの支持具Ａは、内面がももの上面に内接する周方向に長い曲板で形成された台板１上にブラケット２が、台板１の中心より右側に突設されていて、そのブラケット２に、中空軸９およびその中空部に緩挿した軸１０からなり、中空軸９の上部に、緩挿した軸を駐止する雄ねじ１１を螺挿した支柱３が突設されていて、その支柱３の上端に、吸着力を強化する手段を係設した吸着具６が載設されたものであるる。
【００１１】
なお台板１の巾は従来のように広いと、ももの上に載せたギターの支持具Ａの、前後の傾きの変化に順応しにくく、演奏フォームが固定しすぎる傾向があるので、台板１の巾は、２センチメートル乃至４センチメートルくらいが適当である。
【００１２】
吸着具６は、吸盤本体４、押圧盤５およびカム１２からなるもので、吸盤本体４は、周縁または周縁近接部の全周に、押圧盤５のフランジ１３が当接するフランジの座１４が形成されていて、吸盤本体４の凸面側の中心に、突軸１５が植設されていて、その突軸１５の先端近接部に、カム１２を枢設するピンを挿通する穴が穿設されている。
なお、吸盤本体４の周縁の任意位置に、舌状の小突片１６を形成すると、吸着具６をギターから外すとき、外しやすくなる。
【００１３】
押圧盤５は、周縁にフランジ６が周設されたハット型で、中央に突軸１５を遊挿する孔が穿設され、側面に支柱２の上端を挿着するソケット１７が突設されている。なお、押圧盤５の深さは、吸盤本体４がカム１２で引き上げられる深さになっている。
【００１４】
吸着具６は、吸盤本体４に押圧盤５を、吸盤本体４の突軸１５を押圧盤５の孔に挿通して被蓋し、カム１２を枢設したものである。
【００１５】
図２に示すギターの支持具Ｂは、台板１上に突設された短い軸８の上端に吸着具６が載設されたものである。
【００１６】
【発明の実施の形態】
本発明のギターの支持具Ａを突設したギターは、従来のギターの支持具３２のように構えることができるが、本発明は、保持したギターの安定のため、ギターの支持具ＡまたはＣとギターの支持具Ｂを併設するようにしたものである。
【００１７】
図３に示すように、演奏に先立ち、ギターの裏板の上部にギターの支持具Ａの吸着具６を吸着し、その下方にギターの支持具Ｂの吸着具６を吸着して、それぞれのギターの支持具Ａ、Ｂを構えたギターの下方に突設する。
【００１８】
演奏者は椅子座して、足を広く開かない自然な椅子座の姿勢で、そのギターをかかえ、ギターの支持具Ｂのカム１２を起こして、押圧盤５を可動状態にして、台板１が右ももの上に違和感なく載るように、台板１の位置、傾き調節して、カム１２を倒してギターの支持具Ｂをギターに固定する。
【００１９】
つぎに、ギターの支持具Ｂの台板１を右ももの上に載せて、ギターの支持具Ａのカム１２を起こし、押圧盤５を可動状態にして、その台板１が左ももの適切な位置に当接するように、支柱３の長さ、突出する方向を調節してカム１２を倒し、ギターの支持具Ａをギターに固定して、改めてギターを構えて演奏する。
【００２０】
ギターの支持具ＡおよびＢを外すときは、カム１２を起こして、吸着具５の吸着力を弱めて外す。舌状の突片１６を突設したもの、カム１２を起こして、舌状の突片１６を引き上げて、ギターの裏板から吸板本体４を剥がして、外す。
なお右足を退き、右ももを下げてギターを構えると、ギターの棹が傾く角度が大きくなるから、その分支柱を短くしてギターを低く構えることができる。
【００２１】
【実施例】
図４に示す実施例は、台板１上に突設された球面対偶の継手７から支柱３が突設されているのを特徴とするギターの支持具Ｃである。
【００２２】
【発明の効果】
本発明のギターの支持具Ａ、Ｃは、吸着具６をギターの裏板の任意位置に吸着でき、従来のギターの支持具３２より強力に固定できるから、ギターに単独で突設して、従来のギターの支持具３２のようにギターを構えても、足の開きの変化でギターから外れなくなった。
【００２３】
図３に示すように、支柱２が長いギターの支持具ＡまたはＣと、支柱が短いギターの支持具Ｂを併設したギターは、足を広く開かず、自然に椅子座した両ももの上に台板１，１を載せると、ももの上のギターは抱えなくてで安定し、そのままの、自然な椅子座の姿勢で演奏できるようになった。
従って従来、上体を棹側に向け、前傾してギターを抱持する不自然な演奏姿勢は改善され、女性も優雅な姿勢で演奏できるようになッた。
【００２４】
ギターの支持具Ａ，Ｂ、Ｃは、レバー１２の操作で着脱できるから、従来のギターの支持具３２の、長ねじ３９を回しての着脱より素速く着脱でき、吸着具５は簡単な構造であるから、低コストの製作が可能である。
【図面の簡単な説明】
【図１】支柱が長いギターの支持具の、一部断面の側面図である。
【図２】支柱が短いギターの支特具の、一部断面の側面図である。
【図３】支柱が長いギターの支持具Ａと、支柱が組いギターの支持具Ｂを並設したときのギターの背面図である。
【図４】支柱を球面対偶の継手で支柱を突設している、ギターの支持具Ｃ一部断面の側面図である。
【図５】足台の斜視図である。
【図６】従来のギターの支持具の斜視図である。
【符号の説明】
Ａ  （支柱が長い）ギターの支持具
Ｂ  （支柱が短い）ギターの支持具
Ｃ  （球面対偶の次で支柱を突設している）ギターの支持具
１  台板
２  ブラケット
３  支柱
４  吸盤本体
５  押圧盤
６  吸着具
７  球面対偶の継手
８  短い軸
９  中空軸
１０  軸
１１  ねじ
１２  カム
１３  フランジ
１４  フランジの座
１５  突軸
１６  舌状の突片
１７  ソケット
３１  足台
３２  従来のギターの支持具
３３  台板
３４  ブラケット
３５  支柱
３６  クランプ
３７  後部の板
３８  前部の板
３９  ねじ
４０  長ねじ
４１  爪
４２  短ソケット
４３  止めねじ
【図１】
2004341462.tif 000003
【図２】
2004341462.tif 000004
【図３】
2004341462.tif 000005
【図４】
2004341462.tif 000006
【図５】
2004341462.tif 000007
【図６】
2004341462.tif 000008